(57)【要約】【課題】  小さい表示領域でデータ放送の内容を確認することができるとともに、所望の内容を詳細に確認する作業が容易なデジタルテレビ放送システム及び携帯電話機を提供することを目的とする。【解決手段】  コンテンツデータから抽出した抽出文字列を横長表示状態のピクト表示領域２１にマーキー表示させる。抽出文字列の表示中に縦長表示状態へ切り替えられた場合には、データ放送表示領域２５に表示される文字列のうち、切替時に横長表示状態で表示されていた抽出文字列に対応する文字列にカーソル２６を合わせる。これにより、マーキー表示される抽出文字列を確認することによりユーザがデータ放送の内容を良好に確認することができるとともに、縦長表示状態への切替により、横長表示状態で表示されていた抽出文字列に対応する文字列が自動的に選択されるので、所望の内容を詳細に確認する作業が容易である。【選択図】  図７
2008148203.tif 000002
【特許請求の範囲】
【請求項１】
表示画面を備え、上記表示画面を第１の表示状態及び第２の表示状態に切替可能な携帯電話機であって、
テレビ放送用データ及びデータ放送用データを含むデジタルテレビ放送波を受信するデジタルテレビ放送受信手段と、
受信したテレビ放送用データに基づいて、テレビ画像を生成するテレビ画像生成手段と、
受信したデータ放送用データに基づいて、文字列を含むコンテンツデータを生成するコンテンツデータ生成手段と、
上記第１の表示状態及び上記第２の表示状態のときに、上記表示画面にテレビ画像を表示するテレビ画像表示制御手段と、
上記第１の表示状態のときに、コンテンツデータを上記表示画面の一部に表示し、上記第２の表示状態のときに、上記コンテンツデータに含まれる複数の文字列を抽出して、上記表示画面の一部に抽出文字列として順次に表示させるコンテンツデータ表示制御手段と、
上記抽出文字列の表示中に上記表示画面が第２の表示状態から第１の表示状態へ切り替えられたときに、上記表示画面に表示されるコンテンツデータに含まれる文字列のうち、切替時に第２の表示状態で表示されていた上記抽出文字列に対応する文字列を選択する文字列選択手段とを備えたことを特徴とする携帯電話機。
【請求項２】
上記コンテンツデータ生成手段は、受信したデータ放送用データに基づいて、それぞれグループ化された文字列からなり、第１の表示状態の上記表示画面の一部に切り替えて表示可能な複数のページデータを含むコンテンツデータを生成し、
上記コンテンツデータ表示制御手段は、上記第２の表示状態のときに、上記複数のページデータにそれぞれ含まれる文字列を抽出して、上記表示画面の一部に抽出文字列として順次に表示させ、上記抽出文字列の表示中に上記表示画面が第２の表示状態から第１の表示状態へ切り替えられたときに、上記複数のページデータのうち、切替時に第２の表示状態で表示されていた上記抽出文字列に対応するページデータを上記表示画面に表示させることを特徴とする請求項１に記載の携帯電話機。
【請求項３】
表示画面を備え、上記表示画面を第１の表示状態及び第２の表示状態に切替可能な携帯電話機であって、
テレビ放送用データ及びデータ放送用データを含むデジタルテレビ放送波を受信するデジタルテレビ放送受信手段と、
受信したテレビ放送用データに基づいて、テレビ画像を生成するテレビ画像生成手段と、
受信したデータ放送用データに基づいて、それぞれグループ化された文字列からなり、第１の表示状態の上記表示画面の一部に切り替えて表示可能な複数のページデータを含むコンテンツデータを生成するコンテンツデータ生成手段と、
上記第１の表示状態及び上記第２の表示状態のときに、上記表示画面にテレビ画像を表示するテレビ画像表示制御手段と、
上記第２の表示状態のときに、上記複数のページデータにそれぞれ含まれる文字列を抽出して、上記表示画面の一部に抽出文字列として順次に表示させ、上記抽出文字列の表示中に上記表示画面が第２の表示状態から第１の表示状態へ切り替えられたときに、上記複数のページデータのうち、切替時に第２の表示状態で表示されていた上記抽出文字列に対応するページデータを上記表示画面に表示させるコンテンツデータ表示制御手段とを備えたことを特徴とする携帯電話機。
【請求項４】
上記表示画面は、長方形であって、上記第１の表示状態としての縦長表示状態及び上記第２の表示状態としての横長表示状態に切替可能であり、
上記テレビ画像表示制御手段は、上記縦長表示状態のときに、上記表示画面の長手方向を上下方向としてテレビ画像を表示し、上記横長表示状態のときに、上記表示画面の短手方向を上下方向としてテレビ画像を表示することを特徴とする請求項１〜３のいずれかに記載の携帯電話機。
【請求項５】
上記コンテンツデータには、当該コンテンツデータに含まれる文字列に対応付けられ、その文字列を上記抽出文字列として抽出させるか否かを表すフラグが含まれており、
上記コンテンツデータ表示制御手段は、上記横長表示状態のときに、上記フラグに基づいて抽出した文字列を上記抽出文字列として上記表示画面に表示させることを特徴とする請求項４に記載の携帯電話機。
【請求項６】
上記コンテンツデータには、上記抽出文字列として上記表示画面に表示するための専用の文字列が含まれており、
上記コンテンツデータ表示制御手段は、上記横長表示状態のときに上記専用の文字列を上記表示画面に表示させ、上記縦長表示状態のときには上記専用の文字列を上記表示画面に表示させないことを特徴とする請求項４に記載の携帯電話機。
【請求項７】
テレビ放送用データ及びデータ放送用データを含むデジタルテレビ放送波を送信するデジタルテレビ放送送信装置と、上記デジタルテレビ放送波を受信する携帯電話機とを備え、
上記携帯電話機は、縦長表示状態及び横長表示状態に切替可能な長方形の表示画面と、
上記デジタルテレビ放送波を受信するデジタルテレビ放送受信手段と、
受信したテレビ放送用データに基づいて、テレビ画像を生成するテレビ画像生成手段と、
受信したデータ放送用データに基づいて、文字列を含むコンテンツデータを生成するコンテンツデータ生成手段と、
上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、
上記縦長表示状態のときに、コンテンツデータを上記表示画面の一部に表示し、上記横長表示状態のときに、上記コンテンツデータに含まれる複数の文字列を抽出して、上記表示画面の一部に抽出文字列として順次に表示させるコンテンツデータ表示制御手段とを備え、
上記デジタルテレビ放送送信装置は、上記コンテンツデータに含まれる文字列に対応付けられ、その文字列を上記抽出文字列として抽出させるか否かを表すフラグを送信し、
上記コンテンツデータ表示制御手段は、上記横長表示状態のときに、上記フラグに基づいて抽出した文字列を上記抽出文字列として上記表示画面に表示させることを特徴とするデジタルテレビ放送システム。
【請求項８】
テレビ放送用データ及びデータ放送用データを含むデジタルテレビ放送波を送信するデジタルテレビ放送送信装置と、上記デジタルテレビ放送波を受信する携帯電話機とを備え、
上記携帯電話機は、縦長表示状態及び横長表示状態に切替可能な長方形の表示画面と、
上記デジタルテレビ放送波を受信するデジタルテレビ放送受信手段と、
受信したテレビ放送用データに基づいて、テレビ画像を生成するテレビ画像生成手段と、
受信したデータ放送用データに基づいて、文字列を含むコンテンツデータを生成するコンテンツデータ生成手段と、
上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、
上記縦長表示状態のときに、コンテンツデータを上記表示画面の一部に表示し、上記横長表示状態のときに、上記コンテンツデータに含まれる複数の文字列を抽出して、上記表示画面の一部に抽出文字列として順次に表示させるコンテンツデータ表示制御手段とを備え、
上記デジタルテレビ放送送信装置は、上記抽出文字列として上記表示画面に表示するための専用の文字列を送信し、
上記コンテンツデータ表示制御手段は、上記横長表示状態のときに上記専用の文字列を上記表示画面に表示させ、上記縦長表示状態のときには上記専用の文字列を上記表示画面に表示させないことを特徴とするデジタルテレビ放送システム。
【発明の詳細な説明】
【技術分野】
【０００１】
本発明は、デジタルテレビ放送システム及び携帯電話機に係り、さらに詳しくは、テレビ放送を視聴することができる携帯電話機及びそれが適用されるデジタルテレビ放送システムの改良に関する。
【背景技術】
【０００２】
携帯電話機の中には、放送基地局から発信されているデジタルテレビ放送波を受信するためのアンテナを備え、デジタルテレビ放送波に基づいて表示画面にテレビ画像を表示するとともに、そのテレビ画像に対応するテレビ音声を出力することにより、テレビ放送を視聴することができるようになっているものがある。
【０００３】
この種の携帯電話機の一例としては、表示画面が長方形状に形成され、当該表示画面を縦長表示状態及び横長表示状態に切り替えることができるようになっているものがある。すなわち、上記縦長表示状態のときには、表示画面の長手方向を上下方向としてテレビ画像が表示され、上記横長表示状態のときには、表示画面の短手方向を上下方向としてテレビ画像が表示される。
【０００４】
一般的に、放送基地局から発信されているデジタルテレビ放送波に基づくテレビ画像は、縦幅に比べて横幅が長い横長のアスペクト比を有しているため、横長表示状態のときには、縦長表示状態と比べてテレビ画像をより大きく表示することができる。一方、縦長表示状態のときには、テレビ画像の横幅が表示画面の短手方向の長さに合わせて表示されるため、表示画面上にはテレビ画像を表示させるための領域以外に空き領域が生じる。そこで、この種の携帯電話機の中には、上記のような表示画面上の空き領域に、いわゆるデータ放送に基づくコンテンツデータを表示させることにより、表示領域を有効利用することができるようになっているものがある。
【０００５】
ここで、データ放送とは、デジタルテレビ放送波に基づくテレビ画像やテレビ音声とは別に、ニュースや天気といった各種コンテンツデータを伝送するシステムである（例えば、特許文献１及び２）。このデータ放送により伝送されるコンテンツデータの中には、受信しているデジタルテレビ放送波の番組に関連する情報を含んでいるものもある。したがって、受信しているデジタルテレビ放送波の番組のテレビ画像を表示画面に表示しつつ、その番組に関連する情報をデータ放送として表示画面に表示させることにより、ユーザは、テレビ放送の視聴中にデータ放送を利用して関連する情報を確認することができる。
【特許文献１】特開２００５−２８６９６６号公報
【特許文献２】特開２００５−２２３６４９号公報
【発明の開示】
【発明が解決しようとする課題】
【０００６】
上記のように、テレビ放送の視聴中にデータ放送を利用する価値があるにもかかわらず、表示画面が横長表示状態とされているときには、表示画面上にテレビ画像を表示させるための領域以外に空き領域がないか、又は、空き領域が非常に小さいため、データ放送の内容を十分に表示させることができない。また、横長表示状態でテレビ放送を視聴しているユーザは、テレビ画像を縦長表示状態よりも大きいサイズで見たいと考えている場合が多いため、データ放送の内容をすべて表示させることによりテレビ画像の表示領域が小さくなるのは好ましくない。
【０００７】
本発明は、上記の事情に鑑みてなされたものであり、小さい表示領域でデータ放送の内容を確認することができるとともに、所望の内容を詳細に確認する作業が容易なデジタルテレビ放送システム及び携帯電話機を提供することを目的とする。
【課題を解決するための手段】
【０００８】
第１の本発明による携帯電話機は、表示画面を備え、上記表示画面を第１の表示状態及び第２の表示状態に切替可能な携帯電話機であって、テレビ放送用データ及びデータ放送用データを含むデジタルテレビ放送波を受信するデジタルテレビ放送受信手段と、受信したテレビ放送用データに基づいて、テレビ画像を生成するテレビ画像生成手段と、受信したデータ放送用データに基づいて、文字列を含むコンテンツデータを生成するコンテンツデータ生成手段と、上記第１の表示状態及び上記第２の表示状態のときに、上記表示画面にテレビ画像を表示するテレビ画像表示制御手段と、上記第１の表示状態のときに、コンテンツデータを上記表示画面の一部に表示し、上記第２の表示状態のときに、上記コンテンツデータに含まれる複数の文字列を抽出して、上記表示画面の一部に抽出文字列として順次に表示させるコンテンツデータ表示制御手段と、上記抽出文字列の表示中に上記表示画面が第２の表示状態から第１の表示状態へ切り替えられたときに、上記表示画面に表示されるコンテンツデータに含まれる文字列のうち、切替時に第２の表示状態で表示されていた上記抽出文字列に対応する文字列を選択する文字列選択手段とを備えて構成される。
【０００９】
このような構成によれば、第２の表示状態の表示画面の一部に、コンテンツデータに含まれる複数の文字列を抽出文字列として順次に表示させることができる。これにより、表示画面上の小さい表示領域に、その表示領域内に一度に表示可能な文字数よりも多い文字からなる複数の文字列を抽出文字列として表示させることができるので、それらの抽出文字列を確認することによりユーザがデータ放送の内容を良好に確認することができる。
【００１０】
また、第２の表示状態の表示画面の一部に表示された抽出文字列を確認したユーザが、そのデータ放送の内容をさらに詳細に確認することを望む場合には、表示画面を第１の表示状態へ切り替えることができる。このとき、第１の表示状態への表示画面の切替に基づいて、第１の表示状態の表示画面に表示されるコンテンツデータに含まれる文字列のうち、第２の表示状態のときに表示されていた抽出文字列に対応する文字列が自動的に選択されるので、その文字列に対応付けられたデータ放送の内容を容易に読み出すことができ、所望の内容を詳細に確認する作業が容易である。
【００１１】
第２の本発明による携帯電話機は、上記構成に加えて、上記コンテンツデータ生成手段が、受信したデータ放送用データに基づいて、それぞれグループ化された文字列からなり、第１の表示状態の上記表示画面の一部に切り替えて表示可能な複数のページデータを含むコンテンツデータを生成し、上記コンテンツデータ表示制御手段が、上記第２の表示状態のときに、上記複数のページデータにそれぞれ含まれる文字列を抽出して、上記表示画面の一部に抽出文字列として順次に表示させ、上記抽出文字列の表示中に上記表示画面が第２の表示状態から第１の表示状態へ切り替えられたときに、上記複数のページデータのうち、切替時に第２の表示状態で表示されていた上記抽出文字列に対応するページデータを上記表示画面に表示させるように構成される。
【００１２】
このような構成によれば、第１の表示状態への表示画面の切替に基づいて、第１の表示状態の表示画面に切り替えて表示可能な複数のページデータのうち、第２の表示状態のときに表示されていた抽出文字列に対応するページデータを表示画面に表示させることができる。このとき、第１の表示状態の表示画面に表示されるページデータに含まれる文字列のうち、第２の表示状態のときに表示されていた抽出文字列に対応する文字列を自動的に選択することができる。
【００１３】
第３の本発明による携帯電話機は、表示画面を備え、上記表示画面を第１の表示状態及び第２の表示状態に切替可能な携帯電話機であって、テレビ放送用データ及びデータ放送用データを含むデジタルテレビ放送波を受信するデジタルテレビ放送受信手段と、受信したテレビ放送用データに基づいて、テレビ画像を生成するテレビ画像生成手段と、受信したデータ放送用データに基づいて、それぞれグループ化された文字列からなり、第１の表示状態の上記表示画面の一部に切り替えて表示可能な複数のページデータを含むコンテンツデータを生成するコンテンツデータ生成手段と、上記第１の表示状態及び上記第２の表示状態のときに、上記表示画面にテレビ画像を表示するテレビ画像表示制御手段と、上記第２の表示状態のときに、上記複数のページデータにそれぞれ含まれる文字列を抽出して、上記表示画面の一部に抽出文字列として順次に表示させ、上記抽出文字列の表示中に上記表示画面が第２の表示状態から第１の表示状態へ切り替えられたときに、上記複数のページデータのうち、切替時に第２の表示状態で表示されていた上記抽出文字列に対応するページデータを上記表示画面に表示させるコンテンツデータ表示制御手段とを備えて構成される。
【００１４】
このような構成によれば、第２の表示状態の表示画面の一部に、コンテンツデータに含まれる複数のページデータからそれぞれ抽出した抽出文字列を順次に表示させることができる。これにより、表示画面上の小さい表示領域に、その表示領域内に一度に表示可能な文字数よりも多い文字からなる複数の文字列を抽出文字列として表示させることができるので、それらの抽出文字列を確認することによりユーザがデータ放送の内容を良好に確認することができる。
【００１５】
また、第２の表示状態の表示画面の一部に表示された抽出文字列を確認したユーザが、そのデータ放送の内容をさらに詳細に確認することを望む場合には、表示画面を第１の表示状態へ切り替えることができる。このとき、第１の表示状態への表示画面の切替に基づいて、第１の表示状態の表示画面に切り替えて表示可能な複数のページデータのうち、第２の表示状態のときに表示されていた抽出文字列に対応するページデータが表示画面に自動的に表示されるので、所望の内容を詳細に確認する作業が容易である。
【００１６】
第４の本発明による携帯電話機は、上記構成に加えて、上記表示画面が、長方形であって、上記第１の表示状態としての縦長表示状態及び上記第２の表示状態としての横長表示状態に切替可能であり、上記テレビ画像表示制御手段が、上記縦長表示状態のときに、上記表示画面の長手方向を上下方向としてテレビ画像を表示し、上記横長表示状態のときに、上記表示画面の短手方向を上下方向としてテレビ画像を表示するように構成される。
【００１７】
このような構成によれば、横長表示状態の表示画面の一部に抽出文字列を表示させることができるので、それらの抽出文字列を確認することによりユーザがデータ放送の内容を良好に確認することができるとともに、表示画面を横長表示状態から縦長表示状態へ切り替えることにより、所望の内容を詳細に確認する作業を容易に行うことができる。
【００１８】
第５の本発明による携帯電話機は、上記構成に加えて、上記コンテンツデータには、当該コンテンツデータに含まれる文字列に対応付けられ、その文字列を上記抽出文字列として抽出させるか否かを表すフラグが含まれており、上記コンテンツデータ表示制御手段が、上記横長表示状態のときに、上記フラグに基づいて抽出した文字列を上記抽出文字列として上記表示画面に表示させるように構成される。
【００１９】
このような構成によれば、コンテンツデータに含まれる文字列のうち、抽出文字列として抽出させる旨が表されているフラグに対応する文字列のみを抽出し、横長表示状態の表示画面の一部に表示させることができる。したがって、上記フラグを適宜に設定することにより、ユーザがデータ放送の内容を確認しやすい文字列を抽出文字列として表示させることができる。
【００２０】
第６の本発明による携帯電話機は、上記構成に加えて、上記コンテンツデータには、上記抽出文字列として上記表示画面に表示するための専用の文字列が含まれており、上記コンテンツデータ表示制御手段が、上記横長表示状態のときに上記専用の文字列を上記表示画面に表示させ、上記縦長表示状態のときには上記専用の文字列を上記表示画面に表示させないように構成される。
【００２１】
このような構成によれば、コンテンツデータに含まれる文字列のうち、抽出文字列として表示画面に表示するための専用の文字列のみを抽出し、横長表示状態の表示画面の一部に表示させることができる。したがって、上記専用の文字列を適宜に設定することにより、ユーザがデータ放送の内容を確認しやすい文字列を抽出文字列として表示させることができる。
【００２２】
第７の本発明によるデジタルテレビ放送システムは、テレビ放送用データ及びデータ放送用データを含むデジタルテレビ放送波を送信するデジタルテレビ放送送信装置と、上記デジタルテレビ放送波を受信する携帯電話機とを備え、上記携帯電話機が、縦長表示状態及び横長表示状態に切替可能な長方形の表示画面と、上記デジタルテレビ放送波を受信するデジタルテレビ放送受信手段と、受信したテレビ放送用データに基づいて、テレビ画像を生成するテレビ画像生成手段と、受信したデータ放送用データに基づいて、文字列を含むコンテンツデータを生成するコンテンツデータ生成手段と、上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、上記縦長表示状態のときに、コンテンツデータを上記表示画面の一部に表示し、上記横長表示状態のときに、上記コンテンツデータに含まれる複数の文字列を抽出して、上記表示画面の一部に抽出文字列として順次に表示させるコンテンツデータ表示制御手段とを備え、上記デジタルテレビ放送送信装置が、上記コンテンツデータに含まれる文字列に対応付けられ、その文字列を上記抽出文字列として抽出させるか否かを表すフラグを送信し、上記コンテンツデータ表示制御手段が、上記横長表示状態のときに、上記フラグに基づいて抽出した文字列を上記抽出文字列として上記表示画面に表示させるように構成される。
【００２３】
第８の本発明によるデジタルテレビ放送システムは、テレビ放送用データ及びデータ放送用データを含むデジタルテレビ放送波を送信するデジタルテレビ放送送信装置と、上記デジタルテレビ放送波を受信する携帯電話機とを備え、上記携帯電話機が、縦長表示状態及び横長表示状態に切替可能な長方形の表示画面と、上記デジタルテレビ放送波を受信するデジタルテレビ放送受信手段と、受信したテレビ放送用データに基づいて、テレビ画像を生成するテレビ画像生成手段と、受信したデータ放送用データに基づいて、文字列を含むコンテンツデータを生成するコンテンツデータ生成手段と、上記縦長表示状態のときに、上記表示画面の長手方向を上下方向としてテレビ画像を表示し、上記横長表示状態のときに、上記表示画面の短手方向を上下方向としてテレビ画像を表示するテレビ画像表示制御手段と、上記縦長表示状態のときに、コンテンツデータを上記表示画面の一部に表示し、上記横長表示状態のときに、上記コンテンツデータに含まれる複数の文字列を抽出して、上記表示画面の一部に抽出文字列として順次に表示させるコンテンツデータ表示制御手段とを備え、上記デジタルテレビ放送送信装置が、上記抽出文字列として上記表示画面に表示するための専用の文字列を送信し、上記コンテンツデータ表示制御手段が、上記横長表示状態のときに上記専用の文字列を上記表示画面に表示させ、上記縦長表示状態のときには上記専用の文字列を上記表示画面に表示させないように構成される。
【発明の効果】
【００２４】
本発明によれば、第２の表示状態の表示画面の一部に、その表示領域内に一度に表示可能な文字数よりも多い文字からなる複数の文字列を抽出文字列として表示させることができるので、それらの抽出文字列を確認することによりユーザがデータ放送の内容を良好に確認することができる。
【００２５】
また、表示画面を第２の表示状態から第１の表示状態へ切り替えることにより、第１の表示状態の表示画面に表示されるコンテンツデータに含まれる文字列のうち、第２の表示状態のときに表示されていた抽出文字列に対応する文字列が自動的に選択され、又は、第１の表示状態の表示画面に切り替えて表示可能な複数のページデータのうち、第２の表示状態のときに表示されていた抽出文字列に対応するページデータが表示画面に自動的に表示されるので、所望の内容を詳細に確認する作業が容易である。
【発明を実施するための最良の形態】
【００２６】
実施の形態１．
図１は、本発明の実施の形態１による携帯電話機１の一例を示した斜視図であり、筐体を展開した状態を示している。この携帯電話機１は、いわゆる折り畳み式の携帯電話機であり、それぞれ直方体形状からなる表示筐体２及び操作筐体５がヒンジ部３を介して連結され、表示筐体２及び操作筐体５の各主面を対向させた状態で折り畳むことができるようになっている。
【００２７】
表示筐体２には、折り畳んだ状態で操作筐体５に対向する主面に、表示部２ａ及び受話用レシーバ８が配置されている。表示部２ａは、長方形の表示画面を有する液晶表示器からなり、その長手方向が表示筐体２の長手方向と一致するように配置されている。受話用レシーバ８は、通話時に相手方電話機からの音声を出力するための音声出力手段であり、表示筐体２におけるヒンジ部３と反対側の端部に配置されている。
【００２８】
操作筐体５には、折り畳んだ状態で表示筐体２に対向する主面に、操作部４及び送話用マイクロホン７が配置されている。操作部４は、複数の操作キーからなる入力手段であり、この操作部４を用いて選択操作や決定操作を行うことができる。送話用マイクロホン７は、通話時にユーザの音声を入力する音声入力手段であり、操作筐体５におけるヒンジ部３と反対側の端部に配置されている。
【００２９】
ヒンジ部３は、表示筐体２及び操作筐体５を各主面が対向するように折り畳み可能に連結している。また、表示筐体２は、ヒンジ部３に対して、表示部２ａの表示画面に垂直な回転軸（図示せず）を中心に回転可能に連結されている。これにより、表示筐体２は、表示部２ａの表示画面に水平な面内で回転可能に保持され、操作筐体５に対する傾斜角度を保った状態で回転できるようになっている。
【００３０】
図２は、図１の携帯電話機１の表示筐体２を回転させた状態を示した斜視図であり、正面から見て図１の状態から時計回りに約４５°回転させた状態を示している。図３は、図１の携帯電話機１の表示筐体２を回転させた状態を示した斜視図であり、正面から見て図１の状態から時計回りに９０°回転させた状態を示している。
【００３１】
ユーザは、操作筐体５を把持した状態で、表示筐体２を表示部２ａの表示画面に水平な面内において９０°の角度範囲内で回転させることにより、図１に示した縦長表示状態と図３に示した横長表示状態とに切り替えることができる。図１に示した縦長表示状態における表示部２ａの表示画面には、その長手方向を上下方向として画像が表示される。一方、図３に示した横長表示状態における表示部２ａの表示画面には、その短手方向を上下方向として画像が表示される。
【００３２】
図４は、この携帯電話機１が適用されるデジタルテレビ放送システムの電気的構成の一例を示したブロック図である。この携帯電話機１は、プロセッサからなる制御部６、並びに、この制御部６によりそれぞれ制御可能な表示部２ａ、操作部４、送話用マイクロホン７、受話用レシーバ８、スピーカ９、セルラー通信部１０、デジタルテレビ放送受信部１１、回転検出センサ１２及びメモリ１３を備えている。
【００３３】
セルラー通信部１０は、通信用アンテナ１０ａを介して無線放送基地局１００との間で電波を送受信することにより、通話音の送受信を行う。相手方電話機との間で通信状態が確立された状態では、ユーザの通話音に基づく音声信号がセルラー通信部１０から送信され、相手方電話機からの通話音に基づく音声信号がセルラー通信部１０で受信されることにより、通話音の送受信が行われる。
【００３４】
デジタルテレビ放送受信部１１は、テレビ放送受信用アンテナ１１ａを介して、放送基地局２００から発信されているデジタルテレビ放送波を受信する。放送基地局２００から発信されるデジタルテレビ放送波は、一般のデジタルハイビジョン放送波の一定帯域に割り当てられた携帯電話機向けの１セグメント放送波であり、テレビ画像２０１及びテレビ音声２０２を含むテレビ放送用データの他、ニュースや天気といった各種コンテンツデータ２０３を含むデータ放送用データなどからなる。これらのデータは、複数のパケットに分割されることにより、いわゆるＴＳ(Transport Stream)パケットとして発信される。
【００３５】
この携帯電話機１では、デジタルテレビ放送受信部１１で受信したデジタルテレビ放送波から複数のＴＳパケットを抽出し、それらのＴＳパケットを合成することにより、テレビ画像２０１、テレビ音声２０２及びコンテンツデータ２０３などを生成する。そして、ＴＳパケットから生成されたテレビ画像２０１が表示部２ａに表示されるとともに、そのテレビ画像２０１に対応するテレビ音声２０２がスピーカ９から増幅して出力されることにより、ユーザはテレビ放送を視聴することができる。また、ＴＳパケットから生成されたコンテンツデータ２０３が表示部２ａに表示されることにより、ユーザはデータ放送を見ることができる。
【００３６】
回転検出センサ１２は、機械的又は電気的なスイッチにより構成され、ユーザによる表示筐体２の回転操作を検出することにより、ユーザに対する表示画面の配置方向を検出する方向検出手段である。メモリ１３は、ＲＡＭ(Random Access Memory)又はＲＯＭ(Read Only Memory)により構成されている。
【００３７】
図５は、制御部６の一構成例を示した機能ブロック図である。制御部６は、ＴＳパケット抽出部６１、ＰＭＴ抽出部６２、パケット合成部６３、テレビ画像生成部６４、コンテンツデータ生成部６５、テレビ音声生成部６６、表示制御部６７及び音声制御部６８によって構成され、これらの各機能ブロックは、制御部６が実行するコンピュータプログラムにより実現される。メモリ１３には、ＰＭＴ記憶部１３１及びコンテンツデータ記憶部１３２などが割り当てられている。
【００３８】
デジタルテレビ放送波には、各番組に対応付けて発信されるＰＭＴ(Program Map Table)が定期的に含まれている。このＰＭＴには、ＴＳパケットのデータ種別と、各データ種別に対応付けられた識別情報であるＰＩＤ(Packet Identifier)との対応関係が規定されている。ＰＭＴ抽出部６２は、ある番組のデジタルテレビ放送波を受信しているときに、放送基地局２００から定期的に発信される当該番組に対応するＰＭＴをデジタルテレビ放送波から抽出し、ＰＭＴ記憶部１３１に格納する。一般的に、ＰＭＴは２００ｍｓ〜５００ｍｓの周期で発信されている。
【００３９】
ＴＳパケット抽出部６１は、受信しているデジタルテレビ放送波から複数のＴＳパケットを抽出する。ＴＳパケット抽出部６１で抽出された複数のＴＳパケットは、パケット合成部６３においてＰＩＤに基づいてデータ種別ごとに合成される。このとき、パケット合成部６３は、ＰＭＴ記憶部１３１に記憶されているＰＭＴと各ＴＳパケットに含まれるＰＩＤとを比較することによりデータ種別を特定し、テレビ画像、テレビ音声及び後述するコンテンツデータに含まれるＤＩＩ(Download Info Indication)やＤＢＢ(Download Data Block)といったデータ種別ごとにＴＳパケットを合成する。
【００４０】
テレビ画像生成部６４は、受信したデジタルテレビ放送波に含まれるテレビ放送用データに基づいてテレビ画像を生成するテレビ画像生成手段であり、テレビ画像に対応付けられているＰＩＤに基づいて合成されたＴＳパケットからテレビ画像を生成する。また、テレビ音声生成部６６は、受信したデジタルテレビ放送波に含まれるテレビ放送用データに基づいてテレビ音声を生成するテレビ音声生成手段であり、テレビ音声に対応付けられているＰＩＤに基づいて合成されたＴＳパケットからテレビ音声を生成する。テレビ音声生成部６６により生成されたテレビ音声は、音声制御部６８によってスピーカ９から出力される。
【００４１】
コンテンツデータ生成部６５は、受信したデジタルテレビ放送波に含まれるデータ放送用データに基づいてコンテンツデータを生成するコンテンツデータ生成手段であり、データ放送用データに対応付けられているＰＩＤに基づいて合成されたＴＳパケットからデータ放送用データを生成する。データ放送用データに含まれるコンテンツデータには、データ放送向けの言語であるＢＭＬ(Broadcast Markup Language)を用いて作成された文字列の他、画像データやタグ情報などが含まれている。ただし、コンテンツデータに含まれる文字列は、ＢＭＬを用いて作成されるものに限らず、ＨＴＭＬ(HyperText Markup Language)などの他の言語を用いて作成されるものであってもよい。コンテンツデータは、モジュールと呼ばれるコンテンツデータを構成するオブジェクトごとに、いわゆるデータ・カルーセル伝送方式で伝送される。
【００４２】
コンテンツデータ生成部６５において生成されたコンテンツデータは、コンテンツデータ記憶部１３２に格納される。ここで、コンテンツデータには、カレント画面データ及び各種ページデータが含まれている。ページデータは、ニュースや天気などの内容を表す文字列や画像データがページごとにグループ化されることにより構成されている。カレント画面データは、ページデータを選択するためのカレント画面のデータであり、各ページデータの上位階層の画面を構成している。すなわち、本実施の形態におけるコンテンツデータは、階層構造を有しており、カレント画面データに基づくカレント画面上でページデータを選択することにより、複数のページデータの中から選択したページデータを読み出すことができるようになっている。
【００４３】
表示制御部６７は、表示部２ａに対する表示を制御する表示制御手段であり、テレビ画像表示制御部６７１、コンテンツデータ表示制御部６７２及びカーソル選択部６７３が含まれている。テレビ画像表示制御部６７１は、テレビ画像生成部６４により生成されたテレビ画像を表示部２ａに表示させる。一方、コンテンツデータ表示制御部６７２は、コンテンツデータ生成部６５で生成されたコンテンツデータを表示部２ａに表示させることにより、カレント画面データ及び複数のページデータを表示画面に切り替えて表示させることができる。
【００４４】
これらのテレビ画像表示制御部６７１及びコンテンツデータ表示制御部６７２は、回転検出センサ１２からの検出信号に基づいて、縦長表示状態及び横長表示状態のいずれかによって異なる態様で表示部２ａに対する表示を行う。カーソル選択部６７３は、コンテンツデータに基づいて表示部２ａに表示されるいずれかの文字列にカーソルを合わせて表示することにより、当該文字列を選択する文字列選択手段である。
【００４５】
図６は、受信したＴＳパケット３１に基づいてコンテンツデータを生成する際の態様を示した図である。コンテンツデータをデータ・カルーセル伝送方式で伝送する際には、コンテンツデータの各モジュールがＤＤＢとして複数のブロックデータに分割される。そして、これらのＤＤＢと、各モジュールに関する情報からなるＤＩＩとが、それぞれＴＳパケット３１として繰り返し伝送される。
【００４６】
ＴＳパケット３１として伝送されたＤＩＩ及び複数のＤＤＢには、それぞれ異なるＰＩＤが割り当てられており、ＰＩＤが共通するＴＳパケット３１を合成することにより、ＤＩＩ及び各ＤＤＢが別々のデータとして生成される。この例では、ＤＩＩと４つのＤＤＢが、それぞれに割り当てられたＰＩＤ（ａ〜ｄ）に基づいて別々のデータとして生成されている。ここで、各ＤＤＢは、コンテンツデータの各モジュールを構成しているブロックデータであり、文字列や画像データなどからなる。また、ＤＩＩには、各モジュールに割り当てられた識別情報であるモジュールＩＤと、そのモジュールの更新情報であるバージョン情報とが含まれる。
【００４７】
上記のようにして生成された複数のＤＤＢが、ＤＩＩに含まれるモジュールＩＤに基づいて合成されることにより、各モジュール３２が生成される。ただし、各モジュール３２は、複数のＤＤＢにより生成されてもよいし、１つのＤＤＢにより生成されてもよい。生成された複数のモジュール３２によって構成されるカレント画面データやページデータなどのコンテンツデータは、コンテンツデータ記憶部１３２に格納される。
【００４８】
図７は、テレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。図７（ａ）に示すように、横長表示状態における表示部２ａの表示画面には、ピクト表示領域２１及びテレビ画像表示領域２２が形成されている。
【００４９】
テレビ画像表示領域２２は、その横幅が表示画面の長辺の長さと一致しており、縦幅に比べて横幅が長い横長のアスペクト比からなるテレビ画像が、表示画面の短手方向を上下方向として表示される。この例におけるテレビ画像は、横幅と縦幅の比が１６：９のアスペクト比となっている。ピクト表示領域２１は、その横幅が表示画面の長辺の長さと一致し、テレビ画像表示領域２２よりも小さい領域からなる。このピクト表示領域２１には、セルラー通信部１０における電波の受信感度や、当該携帯電話機１に電力を供給する電池の残量などを表示することができる。
【００５０】
この例では、受信中のコンテンツデータに含まれる一部の文字列が、ピクト表示領域２１に表示されるようになっている。このピクト表示領域２１には、１行分の文字を表示することができ、表示画面の長手方向に向かってマーキー表示されるようになっている。ここで、マーキー表示とは、時間経過とともに一定方向に移動するように文字が表示される表示態様であり、文頭の文字から順にピクト表示領域２１に表示され、このピクト表示領域２１内で一定方向に移動した後、文頭の文字から順にピクト表示領域２１から消去される。
【００５１】
図７（ａ）の状態から表示筐体２が回転され、横長表示状態から縦長表示状態に切り替わると、図７（ｂ）に示すように、ピクト表示領域２３、テレビ画像表示領域２４及びデータ放送表示領域２５が表示画面上に形成される。テレビ画像表示領域２４は、その横幅が表示画面の短辺の長さと一致しており、テレビ画像のアスペクト比に対応する横幅及び縦幅で形成されることにより、図７（ａ）の横長表示状態におけるテレビ画像表示領域２２よりも小さい領域として形成されている。縦長表示状態では、テレビ画像表示領域２４に対して、表示画面の長手方向を上下方向としてテレビ画像が表示される。ピクト表示領域２３は、その横幅が表示画面の短辺の長さと一致し、テレビ画像表示領域２４よりも小さい領域からなる。このピクト表示領域２３には、図７（ａ）の場合と同様に、セルラー通信部１０における電波の受信感度や、当該携帯電話機１に電力を供給する電池の残量などを表示することができる。
【００５２】
この例では、データ放送のコンテンツデータとして、ニュース、天気及びスポーツなどに関する文字列を伝送することができるようになっており、図７（ｂ）に示したデータ放送表示領域２５には、これらの各種コンテンツデータを選択するためのカレント画面が表示されている。データ放送表示領域２５は、ピクト表示領域２３よりも大きい縦幅を有しており、複数行にわたって文字を表示することができる。図７（ｂ）に示したカレント画面では、カレント画面データに含まれる「ニュース」、「天気」及び「スポーツ」といった文字列が、データ放送表示領域２５に複数行で表示されている。
【００５３】
ユーザは、図７（ｂ）のカレント画面に表示されているいずれかの文字列にカーソル２６を合わせて決定操作を行うことにより、図７（ｃ）に示すように、その文字列に対応するページデータをデータ放送表示領域２５に表示させることができる。この図７（ｃ）の例では、「ニュース」という文字列にカーソル２６が合わせられて決定操作が行われることにより、「ニュース」のページデータとしての文字列がデータ放送表示領域２５に表示されている。
【００５４】
図７（ａ）に示した横長表示状態でピクト表示領域２１に表示される文字列は、図７（ｃ）に示した縦長表示状態でデータ放送表示領域２５に表示される文字列に含まれている。この例では、縦長表示状態でデータ放送表示領域２５に表示される各ページデータの文字列に含まれる文字のうち、文頭から所定数の文字が抽出文字列としてそれぞれ抽出され、それらの抽出文字列が横長表示状態のピクト表示領域２１に順次にマーキー表示される。つまり、「ニュース」、「天気」及び「スポーツ」などに対応する各ページデータの文字列から抽出された抽出文字列が、ピクト表示領域２１に順次にマーキー表示されるようになっている。これにより、表示画面上の小さいピクト表示領域２１に、そのピクト表示領域２１内に一度に表示可能な文字数よりも多い文字からなる複数の文字列を抽出文字列として表示させることができるので、それらの抽出文字列を確認することによりユーザがデータ放送の内容を良好に確認することができる。
【００５５】
本実施の形態では、図７（ａ）のように抽出文字列がピクト表示領域２１に順次にマーキー表示されているときに、表示部２ａの表示画面が横長表示状態から縦長表示状態へ切り替えられた場合に、図７（ｂ）に示すような表示画面に表示される文字列のうち、切替時に横長表示状態で表示されていた抽出文字列に対応する文字列にカーソル２６が合わせられるようになっている。この例では、「ニュース」に対応するページデータの文字列（図７（ｃ））から抽出された抽出文字列が横長表示状態の表示画面に表示されているときに（図７（ａ））、表示画面が縦長表示状態へ切り替えられることにより、縦長表示状態の表示画面に表示される文字列のうち「ニュース」の文字列にカーソル２６が合わせられている（図７（ｂ））。
【００５６】
このような構成により、横長表示状態でテレビ放送及びデータ放送を受信しているときに、横長表示状態のピクト表示領域２１に表示された抽出文字列を確認したユーザが、そのデータ放送の内容をさらに詳細に確認することを望む場合には、表示画面を縦長表示状態へ切り替えることができる。このとき、縦長表示状態への表示画面の切替に基づいて、縦長表示状態の表示画面に表示される文字列のうち、横長表示状態のときに表示されていた抽出文字列に対応する文字列にカーソル２６が自動的に合わせられる。したがって、ユーザは、操作部４を用いて決定操作を行うだけで、カーソル２６が合わせられている文字列に対応付けられたデータ放送の内容を容易に読み出すことができるので、所望の内容を詳細に確認する作業が容易である。
【００５７】
図８は、横長表示状態でテレビ放送及びデータ放送を受信しているときの制御部６による処理の一例を示したフローチャートである。横長表示状態でテレビ放送及びデータ放送を受信しているときには、図７（ａ）に示したように、テレビ画像表示領域２２にテレビ画像が表示されるとともに、各ページデータの文字列から抽出した抽出文字列がピクト表示領域２１に順次にマーキー表示される（ステップＳ１０１）。
【００５８】
横長表示状態の表示画面に抽出文字列がマーキー表示されているときに、表示部２ａの表示画面が縦長表示状態へ切り替えられると（ステップＳ１０２でＹｅｓ）、テレビ画像の配置方向が９０°回転されるとともに（ステップＳ１０３）、切替によって表示画面上に現れたデータ放送表示領域２５にカレント画面が表示される（ステップＳ１０４）。このとき、カレント画面に表示される文字列のうち、切替時に横長表示状態で表示されていた抽出文字列に対応する文字列にカーソル２６が自動的に合わせられる（ステップＳ１０５）。
【００５９】
したがって、ユーザは、操作部４を用いて決定操作を行うことにより（ステップＳ１０６でＹｅｓ）、そのカーソル２６が合わせられている文字列に対応するページデータを読み出し、データ放送表示領域２５に表示させることができる（ステップＳ１０７）。また、ユーザは、操作部４を操作することによりカーソル２６を別の文字列に合わせた後、決定操作を行うことによって、そのカーソル２６を合わせた文字列に対応するページデータを読み出すことも可能である。
【００６０】
実施の形態２．
実施の形態１では、横長表示状態の表示画面に抽出文字列が表示されているときに縦長表示状態へ切り替えられた場合に、縦長表示状態の表示画面にカレント画面が表示され、そのカレント画面に表示される文字列のうち、切替時に横長表示状態で表示されていた抽出文字列に対応する文字列にカーソル２６が合わせられるような構成について説明した。これに対して、実施の形態２では、横長表示状態の表示画面に抽出文字列が表示されているときに縦長表示状態へ切り替えられた場合に、切替時に横長表示状態で表示されていた抽出文字列に対応するページデータが縦長表示状態の表示画面に表示されるようになっている。
【００６１】
図９は、本発明の実施の形態２による携帯電話機１においてテレビ放送及びデータ放送を受信しているときの表示部２ａの表示態様の一例を示した図であり、（ａ）は横長表示状態における表示態様、（ｂ）は（ａ）の状態から縦長表示状態に切り替えたときの表示態様を示している。図９（ａ）に示すように、横長表示状態における表示部２ａの表示画面には、実施の形態１と同様にピクト表示領域２１及びテレビ画像表示領域２２が形成され、テレビ画像表示領域２２に表示画面の短手方向を上下方向としてテレビ画像が表示されるとともに、ピクト表示領域２１に各ページデータの文字列から抽出された抽出文字列が順次にマーキー表示される。
【００６２】
図９（ａ）の状態から表示筐体２が回転され、横長表示状態から縦長表示状態に切り替わると、図９（ｂ）に示すように、ピクト表示領域２３、テレビ画像表示領域２４及びデータ放送表示領域２５が表示画面上に形成される。このとき、ピクト表示領域２３及びテレビ画像表示領域２４に対する表示態様は、実施の形態１において図７（ｂ）に示した態様と同様であるので、ここでは説明を省略することとする。一方、縦長表示状態に切り替えられたときに表示画面上に現れるデータ放送表示領域２５には、実施の形態１の場合とは異なり、カレント画面データの下位階層であるページデータが表示される。
【００６３】
より具体的には、図９（ａ）のように抽出文字がピクト表示領域２１に順次にマーキー表示されているときに、表示部２ａの表示画面が横長表示状態から縦長表示状態へ切り替えられた場合に、図９（ｂ）に示すように、切替時に横長表示状態で表示されていた抽出文字列に対応するページデータが、表示画面のデータ放送表示領域２５に表示されるようになっている。この例では、「天気」に対応するページデータの文字列から抽出された抽出文字列が横長表示状態の表示画面に表示されているときに（図９（ａ））、表示画面が縦長表示状態へ切り替えられることにより、縦長表示状態の表示画面のデータ放送表示領域２５に「天気」に対応するページデータの文字列が表示されている（図９（ｂ））。
【００６４】
このような構成により、横長表示状態でテレビ放送及びデータ放送を受信しているときに、横長表示状態のピクト表示領域２１に表示された抽出文字列を確認したユーザが、そのデータ放送の内容をさらに詳細に確認することを望む場合には、表示画面を縦長表示状態へ切り替えることができる。このとき、縦長表示状態への表示画面の切替に基づいて、縦長表示状態の表示画面に切り替えて表示可能な複数のページデータのうち、横長表示状態のときに表示されていた抽出文字列に対応するページデータが表示画面に自動的に表示されるので、所望の内容を詳細に確認する作業が容易である。
【００６５】
なお、横長表示状態から縦長表示状態へ切り替えられることにより表示画面に表示されたページデータに含まれる文字列のうち、横長表示状態のときに表示されていた抽出文字列に対応する文字列が自動的に選択され、実施の形態１の場合と同様に、その選択された文字列にカーソルが合わせられるような構成となっていてもよい。
【００６６】
図１０は、実施の形態２において横長表示状態でテレビ放送及びデータ放送を受信しているときの制御部６による処理の一例を示したフローチャートである。横長表示状態でテレビ放送及びデータ放送を受信しているときには、図９（ａ）に示したように、テレビ画像表示領域２２にテレビ画像が表示されるとともに、各ページデータの文字列から抽出した抽出文字列がピクト表示領域２１に順次にマーキー表示される（ステップＳ２０１）。
【００６７】
横長表示状態の表示画面に抽出文字列がマーキー表示されているときに、表示部２ａの表示画面が縦長表示状態へ切り替えられると（ステップＳ２０２でＹｅｓ）、テレビ画像の配置方向が９０°回転されるとともに（ステップＳ２０３）、切替時に横長表示状態で表示されていた抽出文字列に対応するページデータが、切替によって表示画面上に現れたデータ放送表示領域２５に表示される（ステップＳ２０４）。
【００６８】
実施の形態３．
実施の形態１及び２では、各ページデータの文字列に含まれる文字のうち、予め定められた文字、例えば文頭から所定数の文字が抽出文字列としてそれぞれ抽出され、それらの抽出文字列が横長表示状態のピクト表示領域２１に順次にマーキー表示されるような構成について説明した。これに対して、実施の形態３では、抽出文字列として抽出させる文字列が、コンテンツデータに含まれるマーキーフラグにより規定されるようになっている点が異なっている。
【００６９】
図１１は、本発明の実施の形態３による携帯電話機１において受信したＴＳパケット３１に基づいてコンテンツデータを生成する際の態様を示した図である。受信したＴＳパケット３１に基づいてコンテンツデータを生成する際の具体的な態様については、図６に示した実施の形態１の場合と同様であるので、ここでは説明を省略することとする。
【００７０】
本実施の形態では、図１１に示すように、コンテンツデータの各モジュールを構成するＤＤＢの一部に、当該コンテンツデータに含まれる任意の文字列に対応付けられたマーキーフラグ３３が含まれている。このマーキーフラグ３３は、対応するコンテンツデータに含まれる任意の文字列を抽出文字列として抽出させるか否かを表すフラグであり、任意の文字列に対するタグ情報としてコンテンツデータに埋め込まれている。この例では、「天気」のコンテンツデータに対応するＤＤＢにマーキーフラグ３３が含まれ、「ニュース」のコンテンツデータに対応するＤＤＢにはマーキーフラグ３３が含まれていない。そのため、横長表示状態のピクト表示領域２１には、「天気」のコンテンツデータから抽出された文字列は表示されるが、「ニュース」のコンテンツデータに含まれる文字列は表示されない。
【００７１】
このような構成により、横長表示状態でテレビ放送及びデータ放送を受信しているときには、コンテンツデータに含まれる文字列のうち、抽出文字列として抽出させる旨が表されているマーキーフラグ３３に対応する文字列のみが抽出され、横長表示状態のピクト表示領域２１にマーキー表示される。したがって、マーキーフラグ３３を適宜に設定することにより、ユーザがデータ放送の内容を確認しやすい文字列を抽出文字列として表示させることができる。
【００７２】
実施の形態４．
実施の形態３では、横長表示状態のピクト表示領域２１に抽出文字列として抽出させる文字列が、コンテンツデータに含まれるマーキーフラグ３３により規定されるような構成について説明した。これに対して、実施の形態４では、抽出文字列として抽出させる専用の文字列がコンテンツデータに含まれている点が異なっている。
【００７３】
図１２は、本発明の実施の形態４による携帯電話機１において受信したＴＳパケット３１に基づいてコンテンツデータを生成する際の態様を示した図である。受信したＴＳパケット３１に基づいてコンテンツデータを生成する際の具体的な態様については、図６に示した実施の形態１の場合と同様であるので、ここでは説明を省略することとする。
【００７４】
本実施の形態では、図１２に示すように、コンテンツデータの各モジュールを構成するＤＤＢの一部に、抽出文字列として横長表示状態のピクト表示領域２１に表示するための専用の文字列であるマーキー専用文字列３４が含まれている。この例では、「天気」のコンテンツデータに対応するＤＤＢにマーキー専用文字列３４が含まれ、「ニュース」のコンテンツデータに対応するＤＤＢにはマーキー専用文字列３４が含まれていない。そのため、横長表示状態のピクト表示領域２１には、「天気」のコンテンツデータから抽出されたマーキー専用文字列３４は表示されるが、「ニュース」のコンテンツデータに含まれる文字列は表示されない。なお、マーキー専用文字３４は、横長表示状態のピクト表示領域２１にマーキー表示するための専用の文字列であり、縦長表示状態のときには表示画面に表示されない。
【００７５】
このような構成により、横長表示状態でテレビ放送及びデータ放送を受信しているときには、コンテンツデータに含まれる文字列のうち、抽出文字列として表示画面に表示するためのマーキー専用文字列３４のみが抽出され、横長表示状態のピクト表示領域２１にマーキー表示される。したがって、マーキー専用文字３４を適宜に設定することにより、ユーザがデータ放送の内容を確認しやすい文字列を抽出文字列として表示させることができる。
【００７６】
以上の実施の形態では、横長表示状態の表示画面におけるピクト表示領域２１に抽出文字列がマーキー表示されるような構成について説明したが、このような構成に限らず、ピクト表示領域２１以外の領域、例えばテレビ画像表示領域２２の一部に抽出文字列がマーキー表示されるような構成であってもよい。また、各コンテンツデータから抽出した抽出文字列を順次にマーキー表示させるような構成に限らず、抽出文字列ごとに一定時間ずつ順次に切り替えて表示させるような構成であってもよい。
【００７７】
また、以上の実施の形態では、表示筐体２が表示部２ａの表示画面に水平な面内で回転されたときに、縦長表示状態及び横長表示状態が切り替わるような構成について説明した。しかし、このような構成に限らず、表示筐体２が所定の態様で変位されたときに縦長表示状態及び横長表示状態が切り替わるような構成であれば、例えば地磁気を検出する地磁気センサなどの方向検出手段を用いてユーザに対する表示画面の配置方向を検出し、その検出結果に基づいて縦長表示状態及び横長表示状態が切り替わるような構成であってもよい。
【００７８】
以上の実施の形態では、携帯電話機１に本発明を適用した場合について説明したが、本発明は、携帯電話機１に限らず、デジタルカメラやポータブルテレビ受像機などの表示画面を有する種々の携帯情報端末装置に適用可能である。
【図面の簡単な説明】
【００７９】
【図１】本発明の実施の形態１による携帯電話機の一例を示した斜視図であり、筐体を展開した状態を示している。
【図２】図１の携帯電話機の表示筐体を回転させた状態を示した斜視図であり、正面から見て図１の状態から時計回りに約４５°回転させた状態を示している。
【図３】図１の携帯電話機の表示筐体を回転させた状態を示した斜視図であり、正面から見て図１の状態から時計回りに９０°回転させた状態を示している。
【図４】この携帯電話機が適用されるデジタルテレビ放送システムの電気的構成の一例を示したブロック図である。
【図５】制御部の一構成例を示した機能ブロック図である。
【図６】受信したＴＳパケットに基づいてコンテンツデータを生成する際の態様を示した図である。
【図７】テレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様、（ｃ）は選択したページデータが表示された状態を示している。
【図８】横長表示状態でテレビ放送及びデータ放送を受信しているときの制御部による処理の一例を示したフローチャートである。
【図９】本発明の実施の形態２による携帯電話機においてテレビ放送及びデータ放送を受信しているときの表示部の表示態様の一例を示した図であり、（ａ）は横長表示状態における表示態様、（ｂ）は（ａ）の状態から縦長表示状態に切り替えたときの表示態様を示している。
【図１０】実施の形態２において横長表示状態でテレビ放送及びデータ放送を受信しているときの制御部による処理の一例を示したフローチャートである。
【図１１】本発明の実施の形態３による携帯電話機において受信したＴＳパケットに基づいてコンテンツデータを生成する際の態様を示した図である。
【図１２】本発明の実施の形態４による携帯電話機において受信したＴＳパケットに基づいてコンテンツデータを生成する際の態様を示した図である。
【符号の説明】
【００８０】
１  携帯電話機
２  表示筐体
２ａ  表示部
６  制御部
１１  デジタルテレビ放送受信部
１２  回転検出センサ
１３  メモリ
６４  テレビ画像生成部
６５  コンテンツデータ生成部
６７  表示制御部
６７１  テレビ画像表示制御部
６７２  コンテンツデータ表示制御部
６７３  カーソル選択部
２１，２３  ピクト表示領域
２２，２４  テレビ画像表示領域
２５  データ放送表示領域
３３  マーキーフラグ
３４  マーキー専用文字列
【図１】
2008148203.tif 000003
【図２】
2008148203.tif 000004
【図３】
2008148203.tif 000005
【図４】
2008148203.tif 000006
【図５】
2008148203.tif 000007
【図６】
2008148203.tif 000008
【図７】
2008148203.tif 000009
【図８】
2008148203.tif 000010
【図９】
2008148203.tif 000011
【図１０】
2008148203.tif 000012
【図１１】
2008148203.tif 000013
【図１２】
2008148203.tif 000014